(57)【要約】【課題】  避難誘導可能な発光体を有した床パネルを取り付けたり取り付けなかったりするレイアウト変更に敏速に対応することができる、簡単にカーペット等の床仕上げ材を設置して避難通路、非常口等へのガイド可能な床パネルを提供すること。【解決手段】  床パネル本体２の表面に設けられるカーペット等の床仕上げ材４に開口４１を形成する。開口４１から露出させる透光窓５１を有したプレート５の突出部５２背面側に蓄光顔料を含む樹脂材料製の蓄光板６を配設する。床パネル本体２表面にプレート５を裁置して透光窓５１から蓄光板６が露出するように床仕上げ材４を配置させる。【選択図】図１
2005307620.tif 000002
【特許請求の範囲】
【請求項１】
床パネル本体の表面に設けられるカーペット等の床仕上げ材に開口を形成し、同開口から露出させる透光窓を有したプレートの突出部背面側に蓄光顔料を含む樹脂材料製の蓄光板を配設し、床パネル本体表面に該プレートを裁置して透光窓から蓄光板が露出するように床仕上げ材を配置させて成る床パネル。
【請求項２】
前記蓄光板と床パネル本体との間に反射層を配置して成ることを特徴とする請求項１に記載の床パネル。
【請求項３】
前記プレートが板金材料製であることを特徴とする請求項１または請求項２いずれかに記載の床パネル。
【発明の詳細な説明】
【技術分野】
【０００１】
本発明は床パネルに関し、例えば停電時等に暗闇で発光して避難通路、非常口等へのガイド可能な発光体を有した床パネルに関する。
【背景技術】
【０００２】
オフィスに於ける、電力、電話、通信データの量は、今後、オフィスのＯＡ化が進展するにつれますます多様化すると考えられている。この多様化の進展に際して、より適切に対応できるのは、従来のモール材等を使用して床面上に電線を配線するのでなく、床下内に配線材等を収納可能とする二重床構造であると考えられている。したがって、オフィスのレイアウト変更に対してフレキシブル性のある二重床に使用される床パネルに対しては、さらに高度な機能が求められてきている。
【０００３】
二重床を施工する場合、例えばビルトインタイプと呼ばれる床パネルにあっては、床パネル本体の４隅にアジャスターのような支持足を取り付け、床パネル本体の上面にカーペット等の仕上げ材で覆った床パネルを用い、この床パネルを床下地の上に多数枚敷き詰めることにより施工している。また、このように施工される二重床に、床用配線器具としてインナーコンセント、ハイテンション接続器、ローテンション接続器等の配線用接続器を取り付ける場合、次の２つの方法によって行われている。
【０００４】
（１）建物完成後、入居までは床パネルを全面に敷き詰めておき、入居レイアウト決定後において、床パネル本体に床用配線器具を取り付けるための開口を設けた床パネルと適宜の前記床パネルとを取り替え、開口に床用配線器具を取り付ける。
【０００５】
（２）建物完成後、入居までは（１）と同じで、入居レイアウト決定後、床用配線器具の取り付けが必要な床パネルを剥がし、この床パネルの床パネル本体に床用配線器具がつくような規定の開口寸法の開口を切り欠き、この開口に床用接続器を取り付けている。
【０００６】
しかし、上記の（１）にあっては、床パネルの交換をしなければならず、施工に手間がかかるという問題があり、また（２）にあっては、現場で開口を切り欠くという作業をしなければならず、施工に非常に手間がかかると共に誤差が非常に大きくなるという問題やロス材が多く発生するという問題がある。
【０００７】
そこで、この問題対応を目的として、本出願人は、レイアウト変更に敏速に対応することができ、しかも各種の床用接続器を容易に取り付けることができる床パネルとして、特開平１０−２４３５３４公報に開示された、図３に示すような、矩形板状の床パネル本体１００の周縁に接続器等の床用配線器具を取り付けるための開口１０１となる切欠１０１ａを設け、同切欠１０１ａの周囲に床パネル本体の表面から床用配線器具の取り付け用鍔部の厚さ程度凹ませた段差部１０２を形成し、同段差部１０２に前記切欠１０１ａ全体を覆うカバープレート１０３を裁置して着脱自在に装着させて、床パネル本体１００上面全体をカーペット等の床仕上げ材１０４で覆った床パネルにおいて、カバープレート１０３と略同じ大きさで略同じ板厚の板状で、孔や切欠等の開口部を有する配線器具取り付け板を上記カバープレートと置き換え自在にして成る床パネルを提案している。
【０００８】
また、床パネルによるより高度な機能として、例えば特開平６−２９９６８２公報には、避難用誘導灯等を、見えやすく、かつコンパクトに組み込んだ床パネルとして、図４に示すような、床パネル２００の表面に凹部２０１を設ける一方、該パネルの凹部２０１内の底側に導光板２０２を配置し、該導光板２０２の側部に放電管２０３を配置すると共に、上記パネルの凹部２０１内の上側に透光性カバー２０４を配置し、該透光性カバー２０４と上記導光板２０２との間に表示フィルム２０５を配置してなる床パネルが開示されている。
【０００９】
さらに、特開平１１−２６９２９１公報には、停電時等に暗闇で発光して避難通路、非常口等を表示する発光体に関する技術として、図５に示すような、半導体製造工場等のクリーンルームの床に敷設される床パネルとして、床に敷設されたグレーチング３００の通路部分の開口部３０１に、蓄光顔料が配合されており気泡を含んだポリマー成形体を備えた発光体３０２を多数挿着して通路を識別させる通路表示方法が開示されている。
【００１０】
これらの技術によると、残光効果により暗闇でも発光体３０２を認識することができ、気泡を含んだポリマー成形体で構成されているため衝撃吸収性に優れていて安全であり、しかも変形容易で復元力にも優れるので、例えばグレーチング３００の開口部３０１等に容易に挿着することができて床パネルとしての新たな機能を実現させる効果を奏している。
【００１１】
しかしながら、上記グレーチングや床パネルによる避難誘導の構成は、床パネル本体の上面をカーペット等の仕上げ材で覆った二重床を構成する床パネルにあっては、避難用誘導灯や発光体を有する床パネルを必要とするという点において、床パネルの交換をしなければならないこと、あるいは、発光体に接着剤又は両面テープで固定しなければならないこととなる。したがって、施工に手間がかかるという問題がある。
【特許文献１】特開平１０−２４３５３４公報
【特許文献２】特開平６−２９９６８２公報
【特許文献３】特開平１１−２６９２９１公報
【発明の開示】
【発明が解決しようとする課題】
【００１２】
本願発明は、上記背景技術に鑑みてなされたものであり、その課題は、避難誘導可能な発光体を有した床パネルを取り付けたり取り付けなかったりするレイアウト変更に敏速に対応することができる、簡単にカーペット等の床仕上げ材を設置して避難通路、非常口等へのガイド可能な床パネルを提供することである。
【課題を解決するための手段】
【００１３】
上記課題を解決するために、本願発明による床パネルは、床パネル本体の表面に設けられるカーペット等の床仕上げ材に開口を形成し、同開口から露出させる透光窓を有したプレートの突出部背面側に蓄光顔料を含む樹脂材料製の蓄光板を配設し、床パネル本体表面に該プレートを裁置して透光窓から蓄光板が露出するように床仕上げ材を配置させている。
【００１４】
そして、前記蓄光板と床パネル本体との間に反射層を配置するのが好ましい。
【００１５】
また、前記プレートが板金材料製であることが好ましい。
【発明の効果】
【００１６】
本願発明の床パネルは、床パネル本体表面に、その突出部背面側に蓄光顔料を含む樹脂材料製の蓄光板の配設された透光窓を有したプレートが裁置されて、当該透光窓及び床パネル本体の表面に設けられるカーペット等の床仕上げ材に形成された開口を介して蓄光板が露出するよう床仕上げ材を配置されるので、カーペット等の床仕上げ材を設置して簡単に避難通路、非常口等へのガイド可能な床パネルが得られる。
【００１７】
そして、蓄光板から発せられる光が蓄光板と床パネル本体との間に設けられた反射層にて反射されるようになるので、停電時等において暗闇で発光し、避難通路、非常口等へガイドする光がより明るいものとなり使い勝手が良い。
【００１８】
また、床パネル本体表面に、その突出部背面側に蓄光板の配設された透光窓を有した板金材料製プレートが裁置されて床仕上げ材を配置されるので、プレートの厚みによるカーペット等の床仕上げ材の盛り上がり変形を少なくできるという効果を奏する。
【発明を実施するための最良の形態】
【００１９】
本発明の上記および他の効果、特徴および利点を明確にすべく、添付した図面を参照しながら、本発明の実施の形態を以下に詳述する。
【００２０】
図１を参照すると、本発明の一実施例としての床パネルの分解斜視図が示されている。図２は、同床パネルの外観を示す斜視図であり、この実施形態の床パネル１は、床パネル本体２の表面に設けられるカーペット等の床仕上げ材４に開口４１を形成し、同開口４１から露出させる透光窓５１を有したプレート５の突出部５２背面側に蓄光顔料を含む樹脂材料製の蓄光板６を配設し、床パネル本体２表面に該プレート５を裁置して透光窓５１から蓄光板６が露出するように床仕上げ材４を配置させて成る。また、前記蓄光板６と床パネル本体２との間に反射層７を配置してもいる。また、前記プレート５が板金材料製であることしている。
【００２１】
詳しくは、この床パネル１は、鋼板材料を主とし軽量コンクリートや積層板材を用いた一枚板にて形成される床パネル本体２を支持足３を設けて二重床構造とするビルトインタイプと呼ばれるもので、床パネル本体２と床仕上げ材４との間に、プレート５と、蓄光板６と、反射層７とが設けられて構成されている。なお、床パネル本体２は、上記による構成以外に、主に合成樹脂材料製の分割可能型の床パネル本体による置敷きタイプと呼ばれる構成のもの等、各種の構成による二重床構造用の部材であっても良い。
【００２２】
プレート５は、四角状の鋼板材で、この場合、絞り加工にて円状に突設された透光窓５１を有するステンレス板金製であって、同透光窓５１に後述する蓄光板６を狭着保持させて上記床パネル本体２上面に配設させる段差部５ａを透光窓５１周囲に有して形成される。
【００２３】
蓄光板６は、例えばポリプロピレン樹脂ポリマーを基材として、例えばアルカリ土類金属アルミン酸塩を母体結晶とし、ユウロピウムを賦活剤としデスプロシウムを賦活助剤とした蓄光顔料を所定重量部含有させて形成された円状樹脂板である。
【００２４】
なお、蓄光顔料とは、太陽光や電灯の光の照射を受けた後に暗闇でも発光する性質を有した顔料のことであり、この発光の継続する時間すなわち残光効果を発揮できる時間が長い点において蛍光顔料とは区別される。蓄光顔料は、この残光時間が長いほど好ましく、例えば１０００ルクス程度の照度の光で５分間励起した後に残光輝度が０．３ｍｃｄ／ｍ2に減衰するまでの時間が１０時間程度以上あれば好ましい。
【００２５】
反射層７は、この場合、ポリプロピレン樹脂にて形成された白色の円状樹脂板であり、予め上記蓄光板６と接着されて配設される。したがって、蓄光板６が発光しそれから発せられる光が蓄光板６と床パネル本体２との間に設けられた反射層７にて反射されるようになるので、蓄光板６の残光効果による光がより明るいものとなり使い勝手が良い。なお、この反射層７は、樹脂板にて形成する以外に、白色の樹脂シートやアルミニウムのシート、さらに上記蓄光板６の裏面に白色塗装処理を施して形成しても良い。
【００２６】
上記構成による床パネル１は、図１に示す順に床パネル本体２上に、プレート５と、蓄光板６と、反射層７とが配置され、その後、透光窓５１から蓄光板６が露出するように床仕上げ材４が床パネル本体２上に配置され、複雑な加工や組み立てねじなどを用いることなく簡単に、図２に示すように組み立てられ施工される。このように床に設置されるプレート５は、突設された透光窓５１が円状であることにてその角部が損傷し難く、また、デザイン性と耐久性とにおいても優れるものとなる。
【００２７】
したがって、以上説明した床パネル１によると、床パネル本体２表面に、その突出部背面側に蓄光顔料を含む樹脂材料製の蓄光板６の配設された透光窓５１を有したプレート５が裁置されて、当該透光窓５１及び床パネル本体２の表面に設けられるカーペット等の床仕上げ材に形成された開口を介して蓄光板６が露出するよう床仕上げ材４を配置されるので、カーペット等の床仕上げ材４を設置して簡単に避難通路、非常口等へのガイド可能な床パネルが得られる。
【００２８】
そして、蓄光板から発せられる光が蓄光板６と床パネル本体２との間に設けられた反射層７にて反射されるようになるので、停電時等において暗闇で発光し、避難通路、非常口等へガイドする光がより明るいものとなり使い勝手が良い。
【００２９】
また、床パネル本体２表面に、その突出部５２背面側に蓄光板６の配設された透光窓５１を有した板金材料製のプレート５が裁置されて床仕上げ材４を配置されるので、プレート５の厚みによるカーペット等の床仕上げ材４の盛り上がり変形を少なくできるという効果を奏する。
【００３０】
なお、本発明は上記各実施例に限定されず、本発明の技術思想の範囲内において、各実施例は適宜変更され得ることは明らかである。
【図面の簡単な説明】
【００３１】
【図１】本願発明の一実施形態である床パネルの分解斜視図。
【図２】同床パネルの外観を示す斜視図。
【図３】床パネルの床用配線器具を取り付けるための開口の一例を示す斜視図。
【図４】従来例の床パネルに使用する照明装置の全体を示す斜視図。
【図５】他の従来例の床パネルを示す平面図。
【符号の説明】
【００３２】
１      床パネル
２      床パネル本体
４      床仕上げ材
４１      開口
５      プレート
５ａ      段差部
５１      透光窓
５２      突出部
６      蓄光板
７      反射層
【図１】
2005307620.tif 000003
【図２】
2005307620.tif 000004
【図３】
2005307620.tif 000005
【図４】
2005307620.tif 000006
【図５】
2005307620.tif 000007